(57)【要約】【課題】  室内の居住域空間のみを空調して、非居住域空間は空調しないようにすることで、空調空間を減少させて、省エネルギー化を図ることができ、しかも、照明発熱などの熱を含まない還気とすることで、熱交換時に処理する熱量を少なくすることができる空調システムを提供する。【解決手段】  建物の室内居住域の空調を行う空調システムであって、空調機２４からの空調空気を室１０内に供給する給気路２６と、室１０内の空気を空調機２４に返還する還気路２８とを建物の床部１６に設け、給気路２６と接続した床部１６の吹き出し口３０より空調空気を室１０内に吹き出し、還気路２８に接続した床部１６の吸い込み口３２より室１０内の空気を空調機２４に返還して、居住域空間１２のみにて熱交換空調を行う。【選択図】図１
2013190123.tif 000002
【特許請求の範囲】
【請求項１】
建物の室内居住域の空調を行う空調システムであって、
空調機からの空調空気を室内に供給する給気路と、室内の空気を空調機に返還する還気路とを建物の床部に設け、
前記給気路と接続した床部の吹き出し口より空調空気を室内に吹き出し、前記還気路に接続した床部の吸い込み口より室内の空気を前記空調機に返還して、居住域空間のみにて熱交換空調を行うことを特徴とする空調システム。
【請求項２】
請求項１において、
前記室内は、複数の居住エリアに区分され、
各居住エリア毎に前記吹き出し口及び吸い込み口が設けられていることを特徴とする空調システム。
【請求項３】
請求項２において、
前記吹き出し口及び吸い込み口には、吹き出し及び吸い込みの開始、停止を切り替える切り替え手段が向けられていることを特徴とする空調システム。
【請求項４】
請求項３において、
前記各居住エリアには、人の存在を検出する検出手段が設けられ、
前記切り替え手段は、検出手段が人の存在を検出した場合にのみ吹き出し及び吸い込みの開始を行うことを特徴とする空調システム。
【請求項５】
請求項１〜４のいずれかにおいて、
前記床部は、二重床構造とされ、
前記給気路および還気路の少なくとも一方が床部空間内に配設されたダクトにて形成されていることを特徴とする空調システム。
【請求項６】
請求項１〜４のいずれかにおいて、
前記床部は、二重床構造とされ、
前記給気路及び還気路は、床部空間内を仕切って形成されていることを特徴とする空調機。
【請求項７】
請求項１〜４のいずれかにおいて、
前記床部は、上層空間及び下層空間を有する三重床構造とされ、
前記上層空間が前記給気路及び還気路のいずれか一方、他方が前記給気路及び還気路のいずれか他方として用いられることを特徴とする空調システム。
【発明の詳細な説明】
【技術分野】
【０００１】
本発明は、空調システムに関し、特に、オフィスなどの室内環境において居住域空調を行うための空調システムに関する。
【背景技術】
【０００２】
一般に、オフィスなど室内環境において、空調を行う場合、例えば、天井側に空調機からの空調空気の吹き出し口を設けて、そこから室内に空調空気を吹き出すと共に、室内の空気を天井側に設けた吸い込み口から吸い込んで空調機に返還する空調システムが採用されている。
【０００３】
あるいは、特許文献１に示すような空調システムが採用されている。
【０００４】
この特許文献１に示す空調システムは、床側に空調機からの空調空気の吹き出し口を設けて、そこから室内に空調空気を吹き出すと共に、室内の空気を天井側に設けた吸い込み口から吸い込んで空調機に返還するようになっている。
【先行技術文献】
【特許文献】
【０００５】
【特許文献１】特開２００３−３２２３５６号公報
【発明の概要】
【発明が解決しようとする課題】
【０００６】
前述のような空調システムにあっては、室全体を空調しているため、室内の温度分布は略均一となるが、室内の居住域空間のみならず非居住域空間をも空調することとなるため、不経済なものとなる。
【０００７】
また、室内空気を天井側の吸い込み口から吸い込んで空調機に返還するため、照明発熱などを含めた還気となるため、熱交換時に処理する熱量が多くなってしまうこととなる。
【０００８】
本発明の目的は、室内の居住域空間のみを空調して、非居住域空間は空調しないようにすることで、空調空間を減少させて、省エネルギー化を図ることができ、しかも、照明発熱などの熱を含まない還気とすることで、熱交換時に処理する熱量を少なくすることができる空調システムを提供することにある。
【課題を解決するための手段】
【０００９】
（１）前記目的を達成するため、本発明の空調システムは、建物の室内居住域の空調を行う空調システムであって、空調機からの空調空気を室内に供給する給気路と、室内の空気を空調機に返還する還気路とを建物の床部に設け、前記給気路と接続した床部の吹き出し口より空調空気を室内に吹き出し、前記還気路に接続した床部の吸い込み口より室内の空気を前記空調機に返還して、居住域空間のみにて熱交換空調を行うことを特徴とする。
【００１０】
本発明によれば、床部の給気路と接続した床部の吹き出し口より空調空気を室内に吹き出し、床部の還気路に接続した床部の吸い込み口より室内の空気を前記空調機に返還することにより、室内の居住域空間のみを空調して、非居住域空間は空調しないようにすることで、空調空間を減少させて、省エネルギー化を図ることができ、しかも、照明発熱などの熱を含まない還気とすることで、熱交換時に処理する熱量を少なくすることができる。
【００１１】
また、天井内を還気スペースとして利用しないので、天井内を低くすることができることとなる。
【００１２】
さらに、足元から空調空気を吹き出し、かつ吸い込んで還気するため、冬場における足元の冷えを防止することが可能である。
【００１３】
（２）本発明においては、（１）において、前記室内は、複数の居住エリアに区分され、  各居住エリア毎に前記吹き出し口及び吸い込み口が設けられるようにすることができる。
【００１４】
このような構成とすることにより、各居住エリア毎に空調することができ、空調効率を良くすることができる。
【００１５】
（３）本発明においては、（２）において、前記吹き出し口及び吸い込み口には、吹き出し及び吸い込みの開始、停止を切り替える切り替え手段が向けられるようにすることができる。
【００１６】
このような構成とすることにより、切り替え手段により吹き出し及び吸い込みの開始、停止を切り替えることで、必要な居住エリアを選択して効率よく空調することができる。
【００１７】
（４）本発明においては、（３）において、前記各居住エリアには、人の存在を検出する検出手段が設けられ、前記切り替え手段は、検出手段が人の存在を検出した場合にのみ吹き出し及び吸い込みの開始を行うようにすることができる。
【００１８】
このような構成とすることにより、人が存在する居住エリアを自動的に空調して、さらに空調効率を向上させることができる。
【００１９】
（５）本発明においては、（１）〜（４）のいずれかにおいて、前記床部は、二重床構造とされ、前記給気路および還気路の少なくとも一方が床部空間内に配設されたダクトにて形成されるようにすることができる。
【００２０】
このような構成とすることにより、床部を二重床構造とすることで、床部の高さをそれほど高くすることなく、内部に床部空間を形成することができ、しかも、給気路および還気路の少なくとも一方が床部空間内に配設されたダクトにて形成することで、ダクト以外の床部空間を他の給気路又は還気路として利用でき、簡単な構成で給気路及び還気路を確保することができる。
【００２１】
（６）本発明においては、（１）〜（４）のいずれかにおいて、前記床部は、二重床構造とされ、前記給気路及び還気路は、床部空間内を仕切って形成されるようにすることができる。
【００２２】
このような構成とすることにより、床部を二重床構造とすることで、床部の高さをそれほど高くすることなく、内部に床部空間を形成することができ、しかも、床部空間を仕切ることで容易に給気路および還気路を確保することができる。
【００２３】
（７）本発明においては、（１）〜（４）のいずれかにおいて、前記床部は、上層空間及び下層空間を有する三重床構造とされ、前記上層空間が前記給気路及び還気路のいずれか一方、他方が前記給気路及び還気路のいずれか他方として用いられるようにすることができる。
【００２４】
このような構成とすることにより、床部三重床構造とし、その上層空間及び下層空間を給気路及び還気路とすることで、レイアウトに制約を受けることなく床部の任意の位置に吹き出し口及び吸い込み口を形成することができる。
【図面の簡単な説明】
【００２５】
【図１】本発明の一実施の形態にかかる空調システムの概略説明図である。
【図２】図１の空調システムにより空調した際の室内の温度分布図である。
【図３】本発明の他の実施の形態にかかる空調システムの概略説明図である。
【図４】本発明のさらに他の実施の形態にかかる空調システムの概略説明図である。
【図５】図４のＶ−Ｖ線に沿う概略説明図である。
【図６】図４及び図５の切り替え手段としてファンを用いた断面図である。
【図７】図４及び図５の切り替え手段として開閉用の蓋体を用いた断面図である。
【発明を実施するための形態】
【００２６】
以下、本発明の実施の形態について、図面を参照して説明する。
【００２７】
図１は、本発明の一実施の形態にかかる空調システムを示す概略説明図である。
【００２８】
この空調システムは、建物の室１０を空調対象とするもので、室１０の内部は下方、例えば床から１．８ｍ程度の高さまでが居住域空間１２（図中破線Ｘより下方）となっており、居住域空間１２よりも上方は非居住域空間１４となっている。
【００２９】
室１０の床部１６は、第１の床１８、第２の床２０及び第３の床２２からなる三重床構造となっており、床部１６内には第１の床１８と第２の床２０との間に下層空間、第２の床と第３の床２２との間に上層空間がそれぞれ形成された状態となっている。
【００３０】
そして、下層空間が空調機２４からの空調空気を室１０内に供給する給気路２６とされ、上層空間が室１０内の空気を空調機２４に返還する還気路２８とされている。
【００３１】
また、床部１６、具体的には第３の床２２には、適宜の位置に複数の吹き出し口３０及び吸い込み口３２が設けられている。
【００３２】
吹き出し口３０は、第２の床２０を貫通して給気路２６と接続され、給気路２６内の空調機２４からの空調空気を室内に吹き出すようになっている。
【００３３】
吸い込み口３２は、還気路２８と接続され、室１０内の空気を還気路２８を通して空調機２４に返還するようになっている。
【００３４】
このように、床部１６の給気路２６と接続した床部１６の吹き出し口３０より空調空気を室１０内に吹き出し、床部１６の還気路３２に接続した床部１６の吸い込み口３２より室１０内の空気を空調機２４に返還することにより、室１０内の居住域空間１２のみを熱交換空調して、非居住域空間１４は空調しないようにすることで、空調空間を減少させて、省エネルギー化を図ることができるようになっている。
【００３５】
しかも、足元から空調空気を吹き出し、かつ吸い込んで還気するため、冬場における足元の冷えを防止することが可能である。
【００３６】
また、床部１６を三重床構造とし、その下層空間及び上層空間を給気路２６及び還気路２８とすることで、レイアウトに制約を受けることなく床部１６、具体的には第３の床２２の任意の位置に吹き出し口３０及び吸い込み口３２を形成することができることとなる。
【００３７】
さらに、室１０の天井３４内には、排気路３６が設けられ、天井３４には複数の照明器具３８位置に排気路３６と接続する排気口４０が設けられ、室１０内の非居住域空間１４の空気及び照明器具３８からの照明発熱を含んだ空気を外部に排出するようにしている。
【００３８】
このように、照明発熱を含んだ空気を外部に排出することで、還気を照明発熱などの熱を含まないものとすることで、熱交換時に処理する熱量を少なくすることができるようになっている。
【００３９】
また、天井内を還気スペースとして利用しないので、天井内を低くすることができることとなる。
【００４０】
図２は、図１の空調システムを用いて室１０の空調を行った場合の室１０の温度分布を示すもので、例えば冷房時に、床面から所定高さの居住域空間１２においては、設定温度である２６℃を略維持した状態となっており、非居住域空間１４では設定温度よりも高くなっていることがわかる。
【００４１】
図３は、本発明の他の実施の形態にかかる空調システムを示す概略説明図である。
【００４２】
この実施の形態では、床部１６は、図１の実施の形態と異なり、第１の床１８と第２の床２０とからなる二重床構造とされ、床部１６内に１つの床部空間が形成されている。
【００４３】
そして、この実施の形態では、床部１６の床部空間内に配設したダクト４２により給気路２６を形成し、このダクト４２と第２の床２０に設けた吹き出し口３０とを接続し、ダクト４２内の給気路２６を通して吹き出し口３０より空調機２４からの空調空気を室１０内に吹き出すようにしている。
また、還気路２８は、床部１６内に形成された床部空間を用い、第２の床２０に設けた吸い込み口３２より室１０内の空気を還気路２８内に取り込み、空調機２４へと返還するようになっている。
【００４４】
このように、床部１６を二重床構造とすることで、床部１６の高さをそれほど高くすることなく、内部に床部空間を形成することができ、しかも、給気路２６が床部空間内に配設されたダクト４２にて形成することで、ダクト４２以外の床部空間を還気路２８として利用でき、簡単な構成で給気路２６及び還気路２８を確保することができることとなる。
【００４５】
他の構成及び作用は前記図１の実施の形態と同様につき説明を省略する。
【００４６】
図４は、本発明のさらに他の実施の形態にかかる空調システムを示す概略説明図である。
この実施の形態では、室１０内は、複数の居住エリア４４に区分され、各居住エリア４４毎に床部１６に吹き出し口３０及び吸い込み口３２を設けることで、各居住エリア４４毎に空調することができようにし、空調効率を良くするようにしている。
また、吹き出し口３０及び吸い込み口３２には、吹き出し及び吸い込みの開始、停止を切り替える切り替え手段が向けられ、この切り替え手段により吹き出し及び吸い込みの開始、停止を切り替えることで、必要な居住エリア４４を選択して効率よく空調するようにしている。
【００４７】
この切り替え手段としては、例えば図６に示すように、モーター４６付のファン４８を用い、モーター４６のＯＮ・ＯＦＦによって吹き出し及び吸い込みの開始、停止を切り替えるようにしても良く、あるいは、図７に示すように、モーター５０によって回転することによって開口部５２を移動させる蓋体５４を用いて吹き出し及び吸い込みの開始、停止を切り替えるようにしても良い。
さらに、この実施の形態では、各居住エリア４４には、人の存在を検出する検出手段５６が設けられ、前記モーター４６付のファン４８や蓋体５４等の切り替え手段は、検出手段５６が人の存在を検出した場合にのみ吹き出し及び吸い込みの開始を行うようにすることで、人が存在する居住エリア４４を自動的に空調して、さらに空調効率を向上させるようにしている。
【００４８】
検出手段５６としては、図示せぬが、例えば、ＩＣタグ、人感センサー、ＣＣＤカメラ等が採用可能である。
【００４９】
また、床部１６は、図５に示すように、第１の床１８及び第２の床２０からなる二重床構造とされ、床部空間内を複数の仕切り板５８で仕切ることにより、３つの給気路２６及び２つの還気路２８を形成するようにしている。
【００５０】
このように、床部１６を二重床構造とすることで、床部１６の高さをそれほど高くすることなく、内部に床部空間を形成することができ、しかも、床部空間を仕切ることで容易に給気路２６および還気路２８を確保することができることとなる。
【００５１】
他の構成及び作用は、前述の図１の実施の形態と同様につき説明を省略する。
【産業上の利用可能性】
【００５２】
本発明は前記各実施の形態に限定されるものではなく、本発明の要旨の範囲内において、種々の形態に変形可能である。
【００５３】
例えば、図１の実施の形態においては、床部の下層空間を給気路、上層空間を還気路として用いる場合を示したが、この例に限らず、上層空間を給気路、下層空間を還気路として用いることも可能である。
【００５４】
また、図３の実施の形態では、ダクト内を給気路、床部空間を還気路として用いたが、この例に限らず、ダクト内を還気路、床部空間を給気路として用いることも可能である。
【００５５】
さらに、図４の実施の形態において、吹き出し口及び吸い込み口からの吹き出し及び吸い込みの開始、停止を切り替える切り替え手段として、モーター付のファンやモーター付の蓋体を示したが、この例に限らず、例えばモーターで作動するダンパーの開閉動作により吹き出し及び吸い込みの開始、停止を切り替えるようにすることも可能である。
【符号の説明】
【００５６】
１０  室
１２  居住域空間
１４  非居住域空間
１６  床部
２４  空調機
２６  給気路
２８  還気路
３０  吹き出し口
３２  吸い込み口
４２  ダクト
４４  居住エリア
４８  ファン
５４  蓋体
５６  検出手段
【図２】
2013190123.tif 000003
【図４】
2013190123.tif 000004
【図５】
2013190123.tif 000005
【図６】
2013190123.tif 000006
【図７】
2013190123.tif 000007
【図１】
2013190123.tif 000008
【図３】
2013190123.tif 000009